(57)【要約】【課題】  システムの状態に応じた最適な動作クロックを設定する。【解決手段】  撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、直前もしくは以前の撮影におけるフレーム１枚あたりのデータ圧縮時間とフレーム１枚あたりの制限時間（１／フレームレート）との割合から動画撮影中に前記動作クロックを変化させる。【選択図】        図１
2005175774.tif 000002
【特許請求の範囲】
【請求項１】
撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、直前もしくは以前の撮影におけるフレーム１枚あたりのデータ圧縮時間とフレーム１枚あたりの制限時間（１／フレームレート）との割合から動画撮影中に前記動作クロックを変化させる事を特徴とするデータ記録装置。
【請求項２】
撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、データ圧縮がある判断時間においても終了していない場合に前記動作クロックを上げる事を特徴とするデータ記録装置。
【請求項３】
撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、データ圧縮が通常の次のデータ圧縮開始時間においても終了していない場合に前記動作クロックを上げる事を特徴とするデータ記録装置。
【請求項４】
撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、データ圧縮完了時間が通常の次のデータ圧縮開始時間よりも後であった場合に次のデータ圧縮処理における前記動作クロックを上げる事を特徴とするデータ記録装置。
【請求項５】
撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段と、前記揮発性メモリ上の圧縮済み動画像データ用書き込みバッファの空き容量検出手段を持ち、前記揮発性メモリ上の圧縮済み動画像データ用書き込みバッファの空き容量から動画撮影中に前記動作クロックを変化させる事を特徴とするデータ記録装置。
【請求項６】
撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、前記不揮発性メモリのデータ記録速度検出手段と、システム全体の動作速度を決定する動作クロック生成部と、前記動作クロック生成部制御手段とを持ち、前記不揮発性メモリのデータ記録速度から動画撮影中に前記動作クロックを変化させる事を特徴とするデータ記録装置。
【発明の詳細な説明】
【技術分野】
【０００１】
本発明はデータ記録装置に関し、特に、動画データや音声データ等、連続したデータを記録するデータ記録装置に関する。
【背景技術】
【０００２】
従来、特許文献１に記載の様に、固体メモリ素子を有するメモリカードを記録媒体として、動画や音声を記録する電子カメラ等のデータ記録装置が知られている。これら電子カメラでは、撮影手段により得られた動画データや録音手段により得られた音声データを揮発性メモリ（書き込みバッファ）に置き、そのデータを記録媒体に転送する。
【０００３】
ここで、データ記録装置の動作クロックが速いと消費電力が高くなるため、出来るだけ動作クロックを下げてデータ記録装置を動作させたい。しかし動作クロックを低くし過ぎると連続して取得される動画や音声のデータを処理し切れなくなる。そのため取得データレートを処理するに充分で、かつ出来るだけ低い動作クロックで動作させる必要がある。そこで従来は動作モード毎に動作クロックを決定していた。
【特許文献１】特開２００３−２４４４８６号公報
【発明の開示】
【発明が解決しようとする課題】
【０００４】
このようなデータ記録装置において、使用者の望むフレームレート＆クオリティの動画を撮影する場合、従来の方法ではパラメータやシステムの状態に応じて用意する動作クロックの数が非常に多くなってしまう。
【０００５】
本発明は、上記問題点に着目して成されたものであって、システムの状態に応じた最適な動作クロックを設定することのできるデータ記録装置の提供を目的としている。
【課題を解決するための手段】
【０００６】
上記課題を解決するために、本発明に係るデータ記録装置に於いては、第１に撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、直前もしくは以前の撮影におけるフレーム１枚あたりのデータ圧縮時間とフレーム１枚あたりの制限時間（１／フレームレート）との割合から動画撮影中に前記動作クロックを変化させる事を特徴とする。
【０００７】
第２に、撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、データ圧縮がある判断時間においても終了していない場合に前記動作クロックを上げる事を特徴とする。
【０００８】
第３に、撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、データ圧縮が通常の次のデータ圧縮開始時間においても終了していない場合に前記動作クロックを上げる事を特徴とするデータ記録装置。
【０００９】
第４に、撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、データ圧縮完了時間が通常の次のデータ圧縮開始時間よりも後であった場合に次のデータ圧縮処理における前記動作クロックを上げる事を特徴とする。
【００１０】
第５に、撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段と、前記揮発性メモリ上の圧縮済み動画像データ用書き込みバッファの空き容量検出手段を持ち、前記揮発性メモリ上の圧縮済み動画像データ用書き込みバッファの空き容量から動画撮影中に前記動作クロックを変化させる事を特徴とする。
【００１１】
第６に、撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、前記不揮発性メモリのデータ記録速度検出手段と、システム全体の動作速度を決定する動作クロック生成部と、前記動作クロック生成部制御手段とを持ち、前記不揮発性メモリのデータ記録速度から動画撮影中に前記動作クロックを変化させる事を特徴とする。
【００１２】
上記手段により、パラメータやシステムの状態に応じた最適な動作クロックを、予め用意する事なく設定することが可能になる。
【発明の効果】
【００１３】
本発明によれば、第１に撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、直前もしくは以前の撮影におけるフレーム１枚あたりのデータ圧縮時間とフレーム１枚あたりの制限時間（１／フレームレート）との割合から動画撮影中に前記動作クロックを変化させる事を特徴とする。
【００１４】
第２に、撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、データ圧縮がある判断時間においても終了していない場合に前記動作クロックを上げる事を特徴とする。
【００１５】
第３に、撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、データ圧縮が通常の次のデータ圧縮開始時間においても終了していない場合に前記動作クロックを上げる事を特徴とするデータ記録装置。
【００１６】
第４に、撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段とを持ち、データ圧縮完了時間が通常の次のデータ圧縮開始時間よりも後であった場合に次のデータ圧縮処理における前記動作クロックを上げる事を特徴とする。
【００１７】
第５に、撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、システム全体の動作速度を決定する動作クロック生成部と、前記動作クロック生成部制御手段と、前記揮発性メモリ上の圧縮済み動画像データ用書き込みバッファの空き容量検出手段を持ち、前記揮発性メモリ上の圧縮済み動画像データ用書き込みバッファの空き容量から動画撮影中に前記動作クロックを変化させる事を特徴とする。
【００１８】
第６に、撮像した動画データを記録媒体に記録するデータ記録装置であって、撮像手段と、制御手段と、揮発性メモリと、前記撮像手段にて撮像した動画像データを前記揮発性メモリ上に作成する機能を有し、前記揮発性メモリに記憶された画像をデータ圧縮し改めて前記揮発性メモリに記憶させるデータ圧縮手段と、着脱可能もしくは内蔵の不揮発性メモリと、前記揮発性メモリに記憶された圧縮済み動画像データを前記不揮発性メモリに転送して保存記録するデータ記録手段と、前記不揮発性メモリのデータ記録速度検出手段と、システム全体の動作速度を決定する動作クロック生成部と、前記動作クロック生成部制御手段とを持ち、前記不揮発性メモリのデータ記録速度から動画撮影中に前記動作クロックを変化させる事を特徴とする。
【００１９】
上記手段により、パラメータやシステムの状態に応じた最適な動作クロックを、予め用意する事なく設定することが可能になる。
【発明を実施するための最良の形態】
【００２０】
以下に、本発明を実施するための最良の形態を、実施例に基づいて図面を参照しながら説明する。
【実施例】
【００２１】
（第１の実施例）
以下、図面を参照して本発明の実施例を説明する。
【００２２】
図１は、本発明の実施例の構成を示す図である。
【００２３】
図１において、１００は画像処理装置である。
【００２４】
１はシステム全体の動作クロックを生成する動作クロック生成部である。動作クロック生成部１で生成する動作クロックは任意に変更可能である。
【００２５】
１０は撮影レンズ、１２は絞り機能を備えるシャッター、１４は光学像を電気信号に変換する撮像素子、１６は撮像素子１４のアナログ信号出力をデジタル信号に変換するＡ／Ｄ変換器である。
【００２６】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２７】
２０は画像処理回路であり、Ａ／Ｄ変換器１６からのデータ或いはメモリ制御回路２２からのデータに対して所定の画素補間処理や色変換処理を行う。
【００２８】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００２９】
さらに、画像処理回路２０においては、撮像した画像データを用いて所定の演算処理を行い、得られた演算結果に基づいてＴＴＬ方式のＡＷＢ（オートホワイトバランス）処理も行っている。
【００３０】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００３１】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００３２】
２４は画像表示メモリ、２６はＤ／Ａ変換器、２７はＤ／Ａ変換器２６の出力を外部モニタに出力するコネクタである。外部出力コネクタ２７にコネクタが挿されている場合は外部出力接続検知手段１０８によりシステム制御回路５０は外部出力状態を知る事が出来る。
【００３３】
２８はＴＦＴ  ＬＣＤ等から成る画像表示部であり、画像表示メモリ２４に書き込まれた表示用の画像データはＤ／Ａ変換器２６を介して画像表示部２８により表示される。
【００３４】
画像表示部２８を用いて撮像した画像データを逐次表示すれば、電子ファインダー機能を実現することが可能である。
【００３５】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００３６】
さらに、画像表示部２８は、回転可能なヒンジ部によって画像処理装置１００本体と結合されており、自由な向き、角度を設定して電子ファインダー機能や再生表示機能、各種表示機能を使用することが可能である。
【００３７】
また、画像表示部２８の表示部分を画像処理装置１００に向けて格納することが可能であり、この場合は画像表示部開閉検知手段１０６により、格納状態を検知して画像表示部２８の表示動作を停止することが出来る。
【００３８】
３０は撮影した静止画像や動画像を格納するためのメモリであり、所定枚数の静止画像や所定時間の動画像を格納するのに十分な記憶量を備えている。
【００３９】
これにより、複数枚の静止画像を連続して撮影する連射撮影やパノラマ撮影の場合にも、高速かつ大量の画像書き込みをメモリ３０に対して行うことが可能となる。
【００４０】
また、メモリ３０はシステム制御回路５０の作業領域としても使用することが可能である。メモリ３０は、記録媒体２００や２１０の書き込みバッファとしても使われる。
【００４１】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００４２】
４０は絞り機能を備えるシャッター１２を制御する露光制御手段であり、フラッシュ４８と連携することによりフラッシュ調光機能も有するものである。
【００４３】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００４４】
４８はフラッシュであり、ＡＦ補助光の投光機能、フラッシュ調光機能も有する。
【００４５】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００４６】
５０は画像処理装置１００全体を制御するシステム制御回路、５２はシステム制御回路５０の動作用の定数、変数、プログラム等を記憶するメモリである。
【００４７】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００４８】
また、表示部５４は、その一部の機能が光学ファインダー１０４内に設置されている。
【００４９】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００５０】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００５１】
５６は電気的に消去・記録可能な不揮発性メモリであり、例えばＥＥＰＲＯＭ等が用いられる。
【００５２】
５８は記録媒体２００や２１０のデータ記録速度や、取得するデータのデータレートを測定するために使われるタイマである。
【００５３】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００５４】
ここで、これらの操作手段の具体的な説明を行う。
【００５５】
６０はモードダイアルスイッチで、電源オフ、自動撮影モード、撮影モード（パノラマ撮影モード、動画撮影モード含む）、再生モード、マルチ画面再生・消去モード、ＰＣ接続モード等の各機能モードを切り替え設定することが出来る。
【００５６】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００５７】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。また動画撮影の場合は動画撮影の開始・停止を指示する。
【００５８】
６６は画像表示ＯＮ／ＯＦＦスイッチで、画像表示部２８のＯＮ／ＯＦＦを設定することが出来る。
【００５９】
この機能により、光学ファインダー１０４を用いて撮影を行う際に、ＴＦＴ  ＬＣＤ等から成る画像表示部２８への電流供給を遮断することにより、省電力を図ることが可能となる。
【００６０】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００６１】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００６２】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００６３】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００６４】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００６５】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００６６】
インターフェース及びコネクタとしては、ＰＣＭＣＩＡカードやＣＦ（コンパクトフラッシュ（登録商標））カード等の規格に準拠したものを用いて構成して構わない。
【００６７】
さらに、インターフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００６８】
１０２は、画像処理装置１００のレンズ１０を含む撮像部を覆う事により、撮像部の汚れや破損を防止するバリアである保護手段である。
【００６９】
１０４は光学ファインダーであり、画像表示部２８による電子ファインダー機能を使用すること無しに、光学ファインダー１０４のみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００７０】
１０６は画像表示部開閉検知手段であり、画像表示部２８が、画像表示部２８の表示部分を画像処理装置１００に向けて格納した格納状態にあるかどうかを検知することが出来る。
【００７１】
ここで、格納状態にあると検知したならば画像表示部２８の表示動作を停止して不要な電力消費を禁止することが可能である。
【００７２】
１０８は外部出力コネクタ接続検知手段であり、外部出力コネクタ２７に外部モニタが接続されているかどうかを検知することが出来る。ここで、接続状態にあると検知したならば画像表示部２８の代わりに外部モニタを表示装置として用いることが可能である。
【００７３】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００７４】
１１２は通信手段１１０により画像処理装置１００を他の機器と接続するコネクタ或いは無線通信の場合はアンテナである。
【００７５】
１１４はマイクで、音声データ取得手段である。１１６はマイク１１４で得られた音声データをシステム制御５０で取得するためにＡ／Ｄ変換するＡ／Ｄ変換機である。
【００７６】
１１８はスピーカーで、音声データ再生手段である。１２０はシステム制御５０から出力されるデジタル音声データをスピーカー１１８で再生するためにＤ／Ａ変換するＤ／Ａ変換機である。
【００７７】
２００はメモリカードやハードディスク等の記録媒体である。
【００７８】
記録媒体２００は、半導体メモリや磁気ディスク等から構成される記録部２０２、画像処理装置１００とのインターフェース２０４、画像処理装置１００と接続を行うコネクタ２０６を備えている。
【００７９】
また、この記録媒体２００がＰＣＭＣＩＡ規格のＰＣ−ＣａｒｄやＣｏｍｐａｃｔＦｌａｓｈ等の場合は、性能が記されている情報記憶回路を内蔵している事もある。
【００８０】
２１０はメモリカードやハードディスク等の記録媒体である。
【００８１】
記録媒体２１０は、半導体メモリや磁気ディスク等から構成される記録部２１２、画像処理装置１００とのインターフェース２１４、画像処理装置１００と接続を行うコネクタ２１６を備えている。
【００８２】
また、この記録媒体２１０がＰＣＭＣＩＡ規格のＰＣ−ＣａｒｄやＣｏｍｐａｃｔＦｌａｓｈ等の場合は、性能が記されている情報記憶回路を内蔵している事もある。
【００８３】
図２乃至図１３を参照して、第１の実施例の動作を説明する。
【００８４】
図２及び図３は本実施例の画像処理装置１００の主ルーチンのフローチャートを示す。
【００８５】
図２及び図３を用いて、画像処理装置１００の動作を説明する。
【００８６】
電池交換やモードダイアル操作等の電源投入により、システム制御回路５０はフラグや制御変数等を初期化し（Ｓ１０１）、画像表示部２８の画像表示をＯＦＦ状態に初期設定する（Ｓ１０２）。そして、記録媒体２００／２１０のデータ記録速度を取得する（Ｓ１０３）。Ｓ１０３のデータ記録速度取得は、このように電源投入後すぐに行っても良いし、記録媒体２００／２１０の認識後に行っても良いし、また後（Ｓ１１４〜Ｓ１１６）に述べるように、該データ記録装置の負荷が軽い時に行っても良い。このデータ記録速度取得処理Ｓ１０３の詳細は図８を用いて後述する。
【００８７】
システム制御回路５０は、モードダイアル６０の設定位置を判断（Ｓ１１１）し、モードダイアル６０が電源ＯＦＦに設定されていたならば、各表示部の表示を終了状態に変更し、保護手段１０２のバリアを閉じて撮像部を保護し、フラグや制御変数等を含む必要なパラメータや設定値、設定モード、記録媒体２００／２１０のデータ記録速度、動作モード毎の取得データレート等を不揮発性メモリ５６に記録し、電源制御手段８０により画像表示部２８を含む画像処理装置１００各部の不要な電源を遮断する等の所定の終了処理を行った後、シャットダウンする（Ｓ１１２）。
【００８８】
Ｓ１１１で、モードダイアル６０が撮影モードに設定されていたならば、Ｓ１１４に進む。
【００８９】
Ｓ１１１で、モードダイアル６０がその他のモードに設定されていたならば、システム制御回路５０は選択されたモードに応じた処理を実行し（Ｓ１１３）、処理を終えたならばＳ１１１に戻る。
【００９０】
システム制御回路５０は、記録媒体２００／２１０のデータ記録速度を取得（Ｓ１１４）し、動画モードの場合は動画データのデータレートを、録音モードの場合は音声データのデータレートを取得（Ｓ１１５）し、動画モードまたは音声データの場合は、記録可能時間を表示する（Ｓ１１６）。記録媒体２００／２１０のデータ記録速度の測定は、初期化の時に行っていればやる必要は無いし、またＳ１１４〜Ｓ１１６で行ったようにデータ記録装置の負荷が軽い時に行う場合も、一回求めれば後は何度も求める必要は無い。
【００９１】
このデータ記録速度取得処理Ｓ１１４の詳細は図８を用いて、動画データレート取得処理Ｓ１１５の詳細は図９を用いて、記録可能時間表示処理Ｓ１１６の詳細は図１０を用いて後述する。
【００９２】
システム制御回路５０は、電源制御手段８０により電池等により構成される電源８６の残容量や動作情況が画像処理装置１００の動作に問題があるか否かを判断し（Ｓ１２１）、問題があるならば表示部５４を用いて画像や音声により所定の警告表示を行った後に（Ｓ１２３）、Ｓ１１１に戻る。
【００９３】
Ｓ１２１で電源８６に問題が無いならば、システム制御回路５０は記録媒体２００或いは２１０の動作状態が画像処理装置１００の動作、特に記録媒体に対する画像データの記録再生動作に問題があるか否かを判断し（Ｓ１２２）、問題があるならば表示部５４を用いて画像や音声により所定の警告表示を行った後に（Ｓ１２３）、Ｓ１１１に戻る。
【００９４】
Ｓ１２２で記録媒体２００或いは２１０の動作状態に問題が無いならば、表示部５４を用いて画像や音声により画像処理装置１００の各種設定状態の表示を行う（Ｓ１３１）。なお、画像表示部２８の画像表示がＯＮであったならば、画像表示部２８も用いて画像や音声により画像処理装置１００の各種設定状態の表示を行う。
【００９５】
システム制御回路５０は、クイックレビューＯＮ／ＯＦＦスイッチ６８の設定状態を調べ（Ｓ１３２）、クイックレビューＯＮに設定されていたならばクイックレビューフラグを設定し（Ｓ１３３）、クイックレビューＯＦＦに設定されていたならばクイックレビューフラグを解除する（Ｓ１３４）。
【００９６】
なお、クイックレビューフラグの状態は、システム制御回路５０の内部メモリ或いはメモリ５２に記憶する。
【００９７】
続いて、システム制御回路５０は、画像表示ＯＮ／ＯＦＦスイッチ６６の設定状態を調べ（Ｓ１３５）、画像表示ＯＮに設定されていたならば、画像表示フラグを設定すると共に（Ｓ１３６）、画像表示部２８の画像表示をＯＮ状態に設定し（Ｓ１３７）、さらに撮像した画像データを逐次表示するスルー表示状態に設定して（Ｓ１３８）、Ｓ１５１に進む。
【００９８】
スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【００９９】
Ｓ１３５で画像表示ＯＮ／ＯＦＦスイッチ６６が画像表示ＯＦＦに設定されていたならば、画像表示フラグを解除すると共に（Ｓ１３９）、画像表示部２８の画像表示をＯＦＦ状態に設定して（Ｓ１４０）、Ｓ１５１に進む。
【０１００】
画像表示ＯＦＦの場合は、画像表示部２８による電子ファインダー機能を使用せず、光学ファインダー１０４を用いて撮影を行う。この場合、電力消費量の大きい画像表示部２８やＤ／Ａ変換器２６等の消費電力を削減することが可能となる。
【０１０１】
なお、画像表示フラグの状態は、システム制御回路５０の内部メモリ或いはメモリ５２に記憶する。
【０１０２】
シャッタースイッチＳＷ１  ６２が押されていないならば（Ｓ１５１）、Ｓ１１１に戻る。
【０１０３】
シャッタースイッチＳＷ１  ６２が押されたならば（Ｓ１５１）、撮影可能条件が満たされているかチェックし（Ｓ１５２）、条件が満たされていなければＳ１１１に戻り、満たされていたらＳ１５３に進む。
【０１０４】
システム制御回路５０はシステム制御回路５０の内部メモリ或いはメモリ５２に記憶される画像表示フラグの状態を判断し（Ｓ１５３）、画像表示フラグが設定されていたならば画像表示部２８の表示状態をフリーズ表示状態に設定して（Ｓ１５４）、Ｓ１５５に進む。
【０１０５】
フリーズ表示状態に於いては、撮像素子１４、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【０１０６】
画像表示フラグが解除されていたならば（Ｓ１５３）、Ｓ１５５に進む。
【０１０７】
システム制御回路５０は、測距処理を行って撮影レンズ１０の焦点を被写体に合わせ、測光処理を行って絞り値及びシャッター時間を決定する（Ｓ１５５）。測光処理に於いて、必要であればフラッシュの設定も行う。
【０１０８】
この測距・測光処理Ｓ１５５の詳細は図４を用いて後述する。
【０１０９】
測距・測光処理Ｓ１５５を終えたならば、システム制御回路５０はシステム制御回路５０の内部メモリ或いはメモリ５２に記憶される画像表示フラグの状態を判断し（Ｓ１５６）、画像表示フラグが設定されていたならば画像表示部２８の表示状態をスルー表示状態に設定して（Ｓ１５７）、Ｓ１５８に進む。なお、Ｓ１５７でのスルー表示状態は、Ｓ１３８でのスルー状態と同じ動作状態である。
【０１１０】
シャッタースイッチＳＷ２  ６４が押されずに（Ｓ１５８）、さらにシャッタースイッチＳＷ１  ６２も解除されたならば（Ｓ１５９）、Ｓ１１１に戻る。
【０１１１】
Ｓ１５８でシャッタースイッチＳＷ２  ６４が押されたならば、システム制御回路５０はシステム制御回路５０の内部メモリ或いはメモリ５２に記憶される画像表示フラグの状態を判断し（Ｓ１６０）、画像表示フラグが設定されていたならば画像表示部２８の表示状態を固定色表示状態に設定して（Ｓ１６１）、Ｓ１６２に進む。
【０１１２】
固定色表示状態に於いては、撮像素子１４、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【０１１３】
Ｓ１６０で画像表示フラグが解除されていたならば、Ｓ１６２に進む。
【０１１４】
システム制御回路５０は、撮像素子１４、Ａ／Ｄ変換器１６、画像処理回路２０、メモリ制御回路２２を介して、或いはＡ／Ｄ変換器１６から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行し、記録媒体２００或いは２１０に記録する（Ｓ１６２）。
【０１１５】
この撮影＆記録処理Ｓ１６２の詳細は撮影モード毎に図５，６を用いて後述する。
【０１１６】
撮影＆記録処理Ｓ１６２が終了した際に、Ｓ１６３でシャッタースイッチＳＷ２  ６４が押された状態であったならば、システム制御回路５０はシステム制御回路５０の内部メモリ或いはメモリ５２に記憶される連写フラグの状態を判断し（Ｓ１６４）、連写フラグが設定されていたならば、連続して撮影を行うためにＳ１６２に戻り、次の撮影を行う。
【０１１７】
連写フラグが設定されていないならば（Ｓ１６４）、Ｓ１６３でシャッタースイッチＳＷ２  ６４が放されるまで、現在の処理を繰り返す。
【０１１８】
撮影＆記録処理Ｓ１６２が終了した際にシャッタースイッチＳＷ２  ６４が放された状態であった、或いは、シャッタースイッチＳＷ２  ６４を押し続けてクイックレビュー表示を継続して撮影画像の確認を行った後にシャッタースイッチＳＷ２  ６４を放した状態であったならば（Ｓ１６３）、Ｓ１６５で所定のミニマムレビュー時間が経過した後にＳ１６６に進む。
【０１１９】
システム制御回路５０は、画像表示フラグが設定されていたならば（Ｓ１６６）、画像表示部２８の表示状態をスルー表示状態に設定して（Ｓ１６７）、Ｓ１６９に進む。
【０１２０】
この場合、画像表示部２８でのクイックレビュー表示によって撮影画像を確認した後に、次の撮影のために撮像した画像データを逐次表示するスルー表示状態にすることが出来る。
【０１２１】
Ｓ１６６で画像表示フラグが解除されていたならば、画像表示部２８の画像表示をＯＦＦ状態に設定して（Ｓ１６８）、Ｓ１６９に進む。
【０１２２】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０１２３】
シャッタースイッチＳＷ１  ６２が押された状態であったならば（Ｓ１６９）、システム制御回路５０は、Ｓ１５８に戻って次の撮影に備える。
シャッタースイッチＳＷ１が放された状態であったならば（Ｓ１６９）、システム制御回路５０は、一連の撮影動作を終えてＳ１１１に戻る。
【０１２４】
図４は、図３のＳ１５５における測距・測光処理の詳細なフローチャートを示す。
【０１２５】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【０１２６】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１２７】
画像処理回路２０での演算結果を用いて、Ｓ２０２でシステム制御回路５０は露出（ＡＥ）が適正と判断されるまで、露光制御手段４０を用いてＡＥ制御を行う（Ｓ２０３）。
【０１２８】
ＡＥ制御で得られた測定データを用いて、Ｓ２０４でシステム制御回路５０はフラッシュ４８が必要か否かを判断し、フラッシュ４８が必要ならばフラッシュフラグをセットし、フラッシュ４８を充電する（Ｓ２０５）。
【０１２９】
露出（ＡＥ）が適正と判断したならば（Ｓ２０２）、測定データ及び或いは設定パラメータをシステム制御回路５０の内部メモリ或いはメモリ５２に記憶する。
【０１３０】
画像処理回路２０での演算結果及びＡＥ制御で得られた測定データを用いて、システム制御回路５０はＳ２０６でホワイトバランス（ＡＷＢ）が適正と判断されるまで、画像処理回路２０を用いて色処理のパラメータを調節してＡＷＢ制御を行う（Ｓ２０７）。
【０１３１】
Ｓ２０６でホワイトバランス（ＡＷＢ）が適正と判断したならば、測定データ及び或いは設定パラメータをシステム制御回路５０の内部メモリ或いはメモリ５２に記憶する。
【０１３２】
ＡＥ制御及びＡＷＢ制御で得られた測定データを用いて、システム制御回路５０はＳ２０８で測距（ＡＦ）が合焦と判断されるまで、測距制御手段４２を用いてＡＦ制御を行う（Ｓ２０９）。
【０１３３】
Ｓ２０８で測距（ＡＦ）が合焦と判断したならば、測定データ及び或いは設定パラメータをシステム制御回路５０の内部メモリ或いはメモリ５２に記憶し、測距・測光処理ルーチンＳ１５５を終了する。
【０１３４】
図５は、通常撮影モードでの図３のＳ１６２における撮影処理の詳細なフローチャートを示す。
【０１３５】
システム制御回路５０はモードダイアル６０を調べ、通常撮影モードの場合はＳ３０１へ行く（Ｓ１６２）。
【０１３６】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１４を露光する（Ｓ３０１、Ｓ３０２）。
【０１３７】
フラッシュフラグによりフラッシュ４８が必要か否かを判断し（Ｓ３０３）、必要な場合はフラッシュ４８を発光させる（Ｓ３０４）。
【０１３８】
システム制御回路５０は、測光データに従って撮像素子１４の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ３０７）。
【０１３９】
設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理（Ｓ３０９）や、色処理（Ｓ３１０）を順次行った後、メモリ３０に処理を終えた画像データを書き込む。
【０１４０】
システム制御回路５０は、メモリ３０から画像データを読み出し、メモリ制御回路２２を介して画像表示メモリ２４に表示画像データの転送を行う（Ｓ３１１）。
【０１４１】
システム制御回路５０は、システム制御回路５０の内部メモリ或いはメモリ５２に記憶される画像表示フラグの状態を判断し（Ｓ３１２）、画像表示フラグが設定されていたならばクイックレビュー表示を行う（Ｓ３１５）。この場合は、撮影中も画像表示部２８が電子ファインダーとして常に表示された状態であり、撮影直後のクイックレビュー表示も行われる。
【０１４２】
Ｓ３１２で画像表示フラグが解除されていたならば、システム制御回路５０の内部メモリ或いはメモリ５２に記憶されるクイックレビューフラグの状態を判断し（Ｓ３１３）、クイックレビューフラグが設定されていたならば、画像表示部２８の画像表示をＯＮ状態に設定し（Ｓ３１４）、クイックレビュー表示を行う（Ｓ３１５）。
【０１４３】
Ｓ３１２で画像表示フラグが解除され、Ｓ３１３でクイックレビューフラグも解除されていたならば、画像表示部２８がＯＦＦの状態のままＳ３１６に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法である。
【０１４４】
システム制御回路５０は、メモリ３０に書き込まれた撮影画像データを読み出して、メモリ制御回路２２そして必要に応じて画像処理回路２０を用いて各種画像処理（Ｓ３１６）を、また、圧縮・伸長回路３２を用いて設定したモードに応じた画像圧縮処理（Ｓ３１７）を行った後、記録媒体２００或いは２１０へ画像データの書き込みを行う記録処理を実行する（Ｓ３１８）。
【０１４５】
システム制御回路５０は、システム制御回路５０の内部メモリ或いはメモリ５２に記憶される音声付帯設定の状態を判断し（Ｓ３１９）、撮影した画像に音声を付帯する設定がされていたならば録音処理を行い（Ｓ３２０）、撮影した画像データと録音した音声データを関連付ける（Ｓ３２１）。この処理により、取得画像と録音データが関連付けられる。この録音処理Ｓ３２０の詳細は図７を用いて後述する。
【０１４６】
図６は、動画撮影モードでの図３のＳ１６２における撮影処理の詳細なフローチャートを示す。
【０１４７】
なお、動画撮影モードにおけるデータフローは図１２を用いて後述する。
【０１４８】
システム制御回路５０はモードダイアル６０を調べ、動画撮影モードの場合はＳ４０１へ行く（Ｓ１６２）。
【０１４９】
ユーザーがシャッタースイッチ６４によって動画撮影の終了を指示した場合は動画撮影終了処理を行うためにＳ４１３へ行く（Ｓ４０１）。ユーザーが動画撮影の終了を指示しなかった場合はＳ４０２へ行く（Ｓ４０１）。
【０１５０】
マイク１１４、Ａ／Ｄ変換機１１６を介してえられた音声データを逐次メモリ３０に書き込む一連の音声データ録音動作によって得られた音声データが規定量に達したとシステム制御回路５０が判断した場合は（Ｓ４０２）、所定の動画フォーマットに沿うように整形し、メモリ３０に用意された動画ファイル用書き込みバッファに整形された音声データを書き込む（Ｓ４０３）。
【０１５１】
撮像素子１４、Ａ／Ｄ変換機１６、画像処理回路２０、メモリ制御回路２２を介して得られた画像データを圧縮・伸長回路３２で逐次データ圧縮し、メモリ３０に書き込む一連の動画像データ撮影動作によって得られた画像データが１枚でも存在するとシステム制御回路５０が判断した場合は（Ｓ４０４）、所定の動画フォーマットに沿うように画像データを整形し、メモリ３０に用意された動画ファイル用書き込みバッファに整形された画像データを書き込む（Ｓ４０５）。
【０１５２】
システム制御回路５０は、所定の転送単位分の動画データがメモリ３０に用意されている書き込みバッファに取得されている場合（Ｓ４０６）、その所定量に達した取得データを記録媒体２００または２１０に転送する（Ｓ４０７）。
【０１５３】
システム制御回路５０は、メモリ３０に用意されている書き込みバッファの空き容量及び記録中の記録媒体２００または２１０の空き容量を調べ（Ｓ４０８）、どちらかが規定量に足りない場合はバッファに残っている動画データを全て記録中の記録媒体２００または２１０に転送し（Ｓ４０９）、終了処理Ｓ４１４に行く。
【０１５４】
Ｓ４０８で書き込みバッファの空き容量及び記録媒体２００または２１０の空き容量の両方が規定量以上ある場合は、データ記録速度を取得し（Ｓ４１０）、動画データレートを取得し（Ｓ４１１）、取得したデータ記録速度及び動画データレートより記録可能時間を表示する（Ｓ４１２）。さらに、撮影状況に応じて動作クロックを変更する（Ｓ４１３）。
【０１５５】
このデータ記録速度取得処理Ｓ４１０の詳細は図８を用いて、動画データレート取得処理Ｓ４１１の詳細は図９を用いて、記録可能時間表示処理Ｓ４１２の詳細は図１０を用いて、動作クロック変更処理Ｓ４１３の詳細は図１３を用いて後述する。
【０１５６】
Ｓ４１３の処理が終わったら、Ｓ４０１に戻る。
【０１５７】
終了処理Ｓ４１４では、システム制御回路５０は、撮影終了後でなければ更新できない値（総撮影時間、総フレーム数、ｉｎｄｅｘ領域等）を画像ファイルに書き込み、動画ファイルを整形する。
【０１５８】
動画ファイルの整形（Ｓ４１４）後、戻る。
【０１５９】
図７は、音声録音モードでの図３のＳ１６２における録音処理の詳細なフローチャートを示す。
【０１６０】
システム制御回路５０はモードダイアル６０を調べ、音声録音モードの場合はＳ５０１へ行く（Ｓ１６２）。
【０１６１】
ユーザーがシャッタースイッチ６４によって音声録音の終了を指示した場合は音声録音終了処理を行うためにＳ５１１へ行く（Ｓ５０１）。Ｓ５０１でユーザーが動画撮影の終了を指示しなかった場合はＳ５０２へ行く。
【０１６２】
マイク１１４、Ａ／Ｄ変換器１６を介して得られた音声データを逐次メモリ３０に書き込む一連の音声データ録音動作によって得られた音声データが規定量に達したとシステム制御回路５０が判断した場合は（Ｓ５０２）、所定の音声フォーマットに沿うように整形し、メモリ３０に用意された音声ファイル用書き込みバッファに整形された音声データを書き込む（Ｓ５０３）。
【０１６３】
システム制御回路５０は、所定の転送単位分の音声データがメモリ３０に用意されている書き込みバッファに取得されている場合（Ｓ５０４）、その所定量に達した取得データを記録媒体２００または２１０に転送する（Ｓ５０５）。
【０１６４】
システム制御回路５０は、メモリ３０に用意されている書き込みバッファの空き容量及び記録中の記録媒体２００または２１０の空き容量を調べ（Ｓ５０６）、どちらかが規定量に足りない場合はバッファに残っている音声データを全て記録中の記録媒体２００または２１０に転送し（Ｓ５０７）、終了処理Ｓ５１１に行く。
【０１６５】
Ｓ５０６で、書き込みバッファの空き容量及び記録媒体２００または２１０の空き容量の両方が規定量以上ある場合は、データ記録速度を取得し（Ｓ５０８）、音声データレートを取得し（Ｓ５０９）、取得したデータ記録速度及び音声データレートより記録可能時間を表示する（Ｓ５１０）。
【０１６６】
このデータ記録速度取得処理Ｓ５０８の詳細は図８を用いて、音声データレート取得処理Ｓ５０９の詳細は図９を用いて、記録可能時間表示処理Ｓ５１０の詳細は図１０を用いて後述する。
【０１６７】
Ｓ５１０の処理が終わったら、Ｓ５０１に戻る。
【０１６８】
終了処理Ｓ５１１では、システム制御回路５０は、撮影終了後でなければ更新できない値（総録音時間等）を音声ファイルに書き込み、整形する。音声ファイルの整形（Ｓ５１１）後、戻る。
【０１６９】
図８は、図２のＳ１０３及びＳ１１４、図６のＳ４１０、図７のＳ５０８におけるデータ記録速度取得処理の詳細なフローチャートを示す。
【０１７０】
システム制御回路５０はインターフェース９０及び９４を調査する事で記録媒体２００及び２１０が取り替えられているかを検知し（Ｓ６０１）、メディアが取り替えられていないならば直前に取得したデータ記録速度情報を得（Ｓ６０２）、その後Ｓ６０５へ行く。Ｓ６０１でメディアが取り替えられていたならば、Ｓ６０３へ行く。
【０１７１】
システム制御回路５０は記録媒体２００または２１０のメディア内情報記録回路を調べ（Ｓ６０３）、以前に調査した事のあるメディアであったならば以前調査し取得したデータ記録速度情報を得（Ｓ６０４）、Ｓ６０５へ行く。Ｓ６０３で過去に調査した事のないメディアであっても、Ｓ６０５へ行く。
【０１７２】
システム制御回路５０は記録媒体２００または２１０のメディア内情報記録回路を調べ、性能記述部分からデータ記録速度情報を得る（Ｓ６０５）。その後、Ｓ６０６へ行く。
【０１７３】
システム制御回路５０は、現在記録媒体２００または２１０にデータを記録中であるかどうかを調べ（Ｓ６０６）、現在記録中であったならばタイマ５８で単位時間を測り、その単位時間内での記録データ量でデータ記録速度を測定し（Ｓ６０７）、Ｓ６１３へ行く。
【０１７４】
Ｓ６０７で、“タイマ５８で単位時間を測り、その単位時間内での記録データ量でデータ記録速度を測定する”としたが、“所定データ量を記録する時間をタイマ５８で測り、その記録時間でデータ記録速度を測定する”としても良い。
【０１７５】
現在記録媒体にデータ記録中でなかったならば（Ｓ６０６）、Ｓ６０８へ行く。
【０１７６】
システム制御回路５０は、現在インターフェース９０または９４に接続されている記録媒体２００または２１０のデータ記録速度を実測した事があれば（Ｓ６０８）、以前調査したデータ記録速度情報を得（Ｓ６０９）、Ｓ６１３へ行く。
【０１７７】
データ記録速度をまだ実測した事が無ければ（Ｓ６０８）、所定量の基準データを記録媒体２００または２１０に書き込む時間をタイマ５８で測定するベンチマークテストを行ってデータ記録速度を得（Ｓ６１０）、Ｓ６１３へ行く。
【０１７８】
システム制御回路５０は、取得したデータ記録速度のうちもっとも遅いものを、但しＳ６０７で取得したデータ記録速度があればそれを、調査した記録媒体２００または２１０のデータ記録速度とする（Ｓ６１３）。
【０１７９】
図９は、図２のＳ１１５、図６のＳ４１１、図７のＳ５０９における取得データレート検出処理の詳細なフローチャートを示す。
【０１８０】
システム制御回路５０はモードダイアル６０及び不揮発性メモリ５６を調べ、現動作モードでのデータレートの規定値が用意されているかどうか調べ（Ｓ７０１）、規定値が用意されている場合はその値を現動作モードでのデータレートとして得（Ｓ７０２）、Ｓ７０４へ行く。規定値が用意されていない場合（Ｓ７０１）は直前に調べたデータレートを現動作モードでのデータレートとして得（Ｓ７０３）、Ｓ７０４へ行く。
【０１８１】
システム制御回路５０は、現在メモリ３０に用意された書き込みバッファにデータを取得中であるかどうかを調べ（Ｓ７０４）、取得中ならばタイマ５８で単位時間を測り、その単位時間内での取得データ量で取得データレートを測定し（Ｓ７０５）、Ｓ７０６へ行く。
【０１８２】
Ｓ７０５で、“タイマ５８で単位時間を測り、その単位時間内での取得データ量で取得データレートを測定する”としたが、“所定データ量を取得する時間をタイマ５８で測り、その取得時間で取得データレートを測定する”としても良い。
【０１８３】
現在書き込みバッファにデータ取得中でなかったならば（Ｓ７０４）、Ｓ７０６へ行く。
【０１８４】
システム制御回路５０は、検出した取得データレートのうちもっとも速いものを取得データレートとする（Ｓ７０６）。
【０１８５】
図１０は、図２のＳ１１６、図６のＳ４１２、図７のＳ５１０における記録可能時間表示処理の詳細なフローチャートを示す。
【０１８６】
システム制御回路５０は記録媒体２００または２１０の空き容量と図９の方法にて取得したデータレートから、以下の計算により記録可能時間＃１を得（Ｓ８０１）、Ｓ８０２へ行く。
記録可能時間＃１＝記録媒体空き容量／データレート
システム制御回路５０は図８の方法にて取得したデータ記録速度と図９の方法にて取得したデータレートを比べ（Ｓ８０２）、データレートの方が大きければＳ８０３へ、そうでなければ記録可能時間＃２＝∞として（Ｓ８０４）、Ｓ８０５へ行く。
【０１８７】
システム制御回路５０は図８の方法にて取得したデータ記録速度、図９の方法にて取得したデータレート、メモリ３０の書き込みバッファの空き容量から、以下の計算により記録可能時間＃２を得（Ｓ８０３）、Ｓ８０５へ行く。
記録可能時間＃２＝書き込みバッファ空き容量／（データレート−記録速度）
システム制御回路は、計算された記録可能時間＃１と＃２を比べ（Ｓ８０５）、記録可能時間＃１が小さければ記録可能時間＃１を画像表示部２８または液晶表示部５４に表示し（Ｓ８０６）、そうでなければ記録可能時間＃２を画像表示部２８または液晶表示部５４に表示する（Ｓ８０７）。Ｓ８０６またはＳ８０７の処理の後、戻る。
【０１８８】
図１１は、図１０のＳ８０６及びＳ８０７にて記録可能時間を画像表示部２８または液晶表示部５４に表示している画面の例である。
【０１８９】
図１２は、図６における動画撮影処理において、データがどのように図１で示す構成ブロック図上を流れるかを示すデータフローである。
【０１９０】
撮像素子１４、Ａ／Ｄ変換器１６、画像処理回路２０、メモリ制御回路２２を介して得られた画像データは、撮影確認用ライブ画像表示のために揮発性メモリ３０上のＶＲＡＭ＃１／ＶＲＡＭ＃２に交互に書き込まれる。
【０１９１】
ＶＲＡＭ＃１／ＶＲＡＭ＃２のライブ画像データはそのままデータ圧縮回路（圧縮・伸長回路）３２の入力となり、動画フォーマットにて定義されたデータ圧縮がされてメモリ３０上に用意された不揮発性メモリ書き込み用バッファに書き込まれる。
【０１９２】
不揮発性メモリ書き込み用バッファの圧縮済み動画像データは、インターフェース９０または９４、コネクタ９２または９６を経由して不揮発性メモリ（記録媒体２００または２１０）に書き込まれる。
【０１９３】
図１３は、図６のＳ４１３における動作クロック変更処理における動作クロック決定方法を示す図である。
【０１９４】
１フレームあたりの制限時間（１／ＦｒａｍｅＲａｔｅ）から、データ圧縮時間にＣＬＯＣＫ＝ｔｏｏ  ｈｉｇｈ／ａｄａｐｔｉｖｅ／ｔｏｏ  ｌｏｗの評価を与え、ｔｏｏ  ｈｉｇｈならば消費電力を下げるために動作クロックを下げ、ａｄａｐｔｉｖｅなら適当と見なして動作クロックをそのままとし、ｔｏｏ  ｌｏｗならば処理の遅れを防ぐために動作クロックを上げる。
【０１９５】
以上、図１を用いて本発明の実施例１の説明を行った。
【０１９６】
なお、記録媒体２００及び２１０は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【０１９７】
また、記録媒体２００及び２１０がメモリカードとハードディスク等が一体となった複合媒体であっても勿論問題無い。さらに、その複合媒体から一部が着脱可能な構成としても勿論問題無い。
【０１９８】
そして、実施例の説明に於いては、記録媒体２００及び２１０は画像処理装置１００と分離していて任意に接続可能なものとして説明したが、いずれか或いは全ての記録媒体２００及び２１０が画像処理装置１００に固定したままとなっていても勿論問題無い。
【０１９９】
また、画像処理装置１００に記録媒体２００或いは２１０が、単数或いは複数の任意の個数接続可能な構成であっても構わない。
【０２００】
そして、画像処理装置１００に記録媒体２００及び２１０が装着する構成として説明したが、記録媒体は単数或いは複数の何れの組み合わせの構成であっても、勿論問題無い。
【０２０１】
さらに、本発明の実施例１においては動作クロックの判定に２つの閾値を設け、直前のデータ圧縮時間にｔｏｏ  ｈｉｇｈ／ａｄａｐｔｉｖｅ／ｔｏｏ  ｌｏｗの３段階の判定を行って動作クロックの設定を行っているが、ｔｏｏ  ｈｉｇｈ／ｔｏｏ  ｌｏｗの２段階の判定でも良く、またもっと多段階の判定により動作クロックの設定を行っても構わない。また直前のデータ圧縮時間だけで判定するのでなく、以前の少なくとも２フレームのデータ圧縮時間を元に判定してもよい。
【０２０２】
（第２の実施例）
図２乃至図１２及び図１４を参照して、第２の実施例の動作を説明する。
【０２０３】
ただし、図２乃至図５、図７乃至図１２の説明は第１の実施例と全く同じなので省略する。図６についても“動作クロック変更処理Ｓ４１３の詳細は図１３を用いて後述”の部分を“動作クロック変更処理Ｓ４１３の詳細は図１４を用いて後述”と変更する以外はほぼ同じなのでやはり省略する。
【０２０４】
図１４は、図６のＳ４１３における動作クロック変更処理における動作クロック決定方法を示す図である。
【０２０５】
１フレームあたりの制限時間（１／ＦｒａｍｅＲａｔｅ）から、データ圧縮処理に中間判断時間（図中のＣ．Ｐ．）を設け、この時間になってもデータ圧縮が終了していない場合は動作クロックを上げて残りのデータ圧縮処理を行い、次のデータ圧縮処理開始時間に遅れないようにする。
【０２０６】
以上、図１を用いて本発明の実施例２の説明を行った。
【０２０７】
なお、記録媒体２００及び２１０は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【０２０８】
また、記録媒体２００及び２１０がメモリカードとハードディスク等が一体となった複合媒体であっても勿論問題無い。さらに、その複合媒体から一部が着脱可能な構成としても勿論問題無い。
【０２０９】
そして、実施例の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【０２１０】
また、画像処理装置１００に記録媒体２００或いは２１０が、単数或いは複数の任意の個数接続可能な構成であっても構わない。
【０２１１】
そして、画像処理装置１００に記録媒体２００及び２１０が装着する構成として説明したが、記録媒体は単数或いは複数の何れの組み合わせの構成であっても、勿論問題無い。
【０２１２】
さらに、本発明の実施例２においては動作クロックの判定に１つの中間判断時間を設けそれを過ぎたら動作クロックを上げるものとしたが、判断時間を複数設けてその閾値毎に動作クロックの設定を行っても良い。
【０２１３】
（第３の実施例）
図２乃至図１２及び図１５を参照して、第３の実施例の動作を説明する。
【０２１４】
ただし、図２乃至図５、図７乃至図１２の説明は第１の実施例と全く同じなので省略する。図６についても“動作クロック変更処理Ｓ４１３の詳細は図１３を用いて後述”の部分を“動作クロック変更処理Ｓ４１３の詳細は図１５を用いて後述”と変更する以外はほぼ同じなのでやはり省略する。
【０２１５】
図１５は、図６のＳ４１３における動作クロック変更処理における動作クロック決定方法を示す図である。
【０２１６】
通常のデータ圧縮処理開始時間（図中のＣ．Ｐ．）においてもデータ圧縮が終了していない場合は動作クロックを上げて残りのデータ圧縮処理を行い、次のデータ圧縮処理への影響を減らす。
【０２１７】
以上、図１を用いて本発明の実施例３の説明を行った。
【０２１８】
なお、記録媒体２００及び２１０は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【０２１９】
また、記録媒体２００及び２１０がメモリカードとハードディスク等が一体となった複合媒体であっても勿論問題無い。さらに、その複合媒体から一部が着脱可能な構成としても勿論問題無い。
【０２２０】
そして、実施例の説明に於いては、記録媒体２００及び２１０は画像処理装置１００と分離していて任意に接続可能なものとして説明したが、いずれか或いは全ての記録媒体２００及び２１０が画像処理装置１００に固定したままとなっていても勿論問題無い。
【０２２１】
また、画像処理装置１００に記録媒体２００或いは２１０が、単数或いは複数の任意の個数接続可能な構成であっても構わない。
【０２２２】
そして、画像処理装置１００に記録媒体２００及び２１０が装着する構成として説明したが、記録媒体は単数或いは複数の何れの組み合わせの構成であっても、勿論問題無い。
【０２２３】
（第４の実施例）
図２乃至図１２及び図１６を参照して、第４の実施例の動作を説明する。
【０２２４】
ただし、図２乃至図５、図７乃至図１２の説明は第１の実施例と全く同じなので省略する。図６についても“動作クロック変更処理Ｓ４１３の詳細は図１３を用いて後述”の部分を“動作クロック変更処理Ｓ４１３の詳細は図１６を用いて後述”と変更する以外はほぼ同じなのでやはり省略する。
【０２２５】
図１６は、図６のＳ４１３における動作クロック変更処理における動作クロック決定方法を示す図である。
【０２２６】
データ圧縮処理開始時間（図中のＣ．Ｐ．）が通常のデータ圧縮開始時間よりも遅れている場合は動作クロックを上げ、次のデータ圧縮処理に影響しないようにする。
【０２２７】
以上、図１を用いて本発明の実施例４の説明を行った。
【０２２８】
なお、記録媒体２００及び２１０は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【０２２９】
また、記録媒体２００及び２１０がメモリカードとハードディスク等が一体となった複合媒体であっても勿論問題無い。さらに、その複合媒体から一部が着脱可能な構成としても勿論問題無い。
【０２３０】
そして、実施例の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【０２３１】
また、画像処理装置１００に記録媒体２００或いは２１０が、単数或いは複数の任意の個数接続可能な構成であっても構わない。
【０２３２】
そして、画像処理装置１００に記録媒体２００及び２１０が装着する構成として説明したが、記録媒体は単数或いは複数の何れの組み合わせの構成であっても、勿論問題無い。
【０２３３】
（第５の実施例）
図２乃至図１２及び図１７を参照して、第５の実施例の動作を説明する。
【０２３４】
ただし、図２乃至図５、図７乃至図１２の説明は第１の実施例と全く同じなので省略する。図６についても“動作クロック変更処理Ｓ４１３の詳細は図１３を用いて後述”の部分を“動作クロック変更処理Ｓ４１３の詳細は図１７を用いて後述”と変更する以外はほぼ同じなのでやはり省略する。
【０２３５】
図１７は、図６のＳ４１３における動作クロック変更処理における動作クロック決定方法を示す図である。
【０２３６】
不揮発性メモリへのデータ転送も共通のバスを使用しているため、不揮発性メモリの動作が速くても動作クロックが低い場合は不揮発性メモリへの書き込みが遅い場合がある。
【０２３７】
そこで揮発性メモリ３０上にある不揮発性メモリ（記録媒体２００または２１０）書き込み用バッファの使用量もしくは空き容量からＣＬＯＣＫ＝ｔｏｏ  ｈｉｇｈ／ａｄａｐｔｉｖｅ／ｔｏｏ  ｌｏｗの評価を与え、ｔｏｏ  ｈｉｇｈならば消費電力を下げるために動作クロックを下げ、ａｄａｐｔｉｖｅなら適当と見なして動作クロックをそのままとし、ｔｏｏ  ｌｏｗならば書き込みバッファがフルになるのを防ぐために動作クロックを上げる。
【０２３８】
以上、図１を用いて本発明の実施例５の説明を行った。
【０２３９】
なお、記録媒体２００及び２１０は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【０２４０】
また、記録媒体２００及び２１０がメモリカードとハードディスク等が一体となった複合媒体であっても勿論問題無い。さらに、その複合媒体から一部が着脱可能な構成としても勿論問題無い。
【０２４１】
そして、実施例の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【０２４２】
また、画像処理装置１００に記録媒体２００或いは２１０が、単数或いは複数の任意の個数接続可能な構成であっても構わない。
【０２４３】
そして、画像処理装置１００に記録媒体２００及び２１０が装着する構成として説明したが、記録媒体は単数或いは複数の何れの組み合わせの構成であっても、勿論問題無い。
【０２４４】
さらに、本発明の実施例５においては動作クロックの判定に２つの閾値を設け、不揮発性メモリ書き込み用バッファにｔｏｏ  ｈｉｇｈ／ａｄａｐｔｉｖｅ／ｔｏｏ  ｌｏｗの３段階の判定を行って動作クロックの設定を行っているが、ｔｏｏ  ｈｉｇｈ／ｔｏｏ  ｌｏｗの２段階の判定でも良く、またもっと多段階の判定により動作クロックの設定を行っても構わない。
【０２４５】
（第６の実施例）
図２乃至図１２及び図１８を参照して、第６の実施例の動作を説明する。
【０２４６】
ただし、図２乃至図５、図７乃至図１２の説明は第１の実施例と全く同じなので省略する。図６についても“動作クロック変更処理Ｓ４１３の詳細は図１３を用いて後述”の部分を“動作クロック変更処理Ｓ４１３の詳細は図１８を用いて後述”と変更する以外はほぼ同じなのでやはり省略する。
【０２４７】
図１８は、図６のＳ４１３における動作クロック変更処理における動作クロック決定方法を示す図である。
【０２４８】
不揮発性メモリへのデータ転送も共通のバスを使用しているため、不揮発性メモリの動作が速くても動作クロックが低い場合は不揮発性メモリへの書き込みが遅い場合がある。
【０２４９】
そこで前記図９における処理にて得られたデータ取得速度と図８における処理にて得られたデータ記録速度から、ＣＬＯＣＫ＝ｔｏｏ  ｈｉｇｈ／ａｄａｐｔｉｖｅ／ｔｏｏ  ｌｏｗの評価を与え、ｔｏｏ  ｈｉｇｈならば消費電力を下げるために動作クロックを下げ、ａｄａｐｔｉｖｅなら適当と見なして動作クロックをそのままとし、ｔｏｏ  ｌｏｗならば不揮発性メモリへの書き込み処理の遅れを防ぐために動作クロックを上げる。
【０２５０】
以上、図１を用いて本発明の実施例６の説明を行った。
【０２５１】
なお、記録媒体２００及び２１０は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【０２５２】
また、記録媒体２００及び２１０がメモリカードとハードディスク等が一体となった複合媒体であっても勿論問題無い。さらに、その複合媒体から一部が着脱可能な構成としても勿論問題無い。
【０２５３】
そして、実施例の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【０２５４】
また、画像処理装置１００に記録媒体２００或いは２１０が、単数或いは複数の任意の個数接続可能な構成であっても構わない。
【０２５５】
そして、画像処理装置１００に記録媒体２００及び２１０が装着する構成として説明したが、記録媒体は単数或いは複数の何れの組み合わせの構成であっても、勿論問題無い。
さらに、本発明の実施例６においては動作クロックの判定に２つの閾値を設け、不揮発性メモリ書き込み速度にｔｏｏ  ｈｉｇｈ／ａｄａｐｔｉｖｅ／ｔｏｏ  ｌｏｗの３段階の判定を行って動作クロックの設定を行っているが、ｔｏｏ  ｈｉｇｈ／ｔｏｏ  ｌｏｗの２段階の判定でも良く、またもっと多段階の判定により動作クロックの設定を行っても構わない。
【図面の簡単な説明】
【０２５６】
【図１】本発明の一実施例の構成ブロック図
【図２】本実施例の画像処理装置の主ルーチンの一部を示すフローチャート
【図３】本実施例の画像処理装置の主ルーチンの一部を示すフローチャート
【図４】本実施例の測距・測光ルーチンのフローチャート
【図５】本実施例の通常撮影ルーチンのフローチャート
【図６】本実施例の動画撮影ルーチンのフローチャート
【図７】本実施例の音声録音ルーチンのフローチャート
【図８】本実施例のデータ記録速度検出ルーチンのフローチャート
【図９】本実施例の取得データレート検出ルーチンのフローチャート
【図１０】本実施例の記録可能時間表示ルーチンのフローチャート
【図１１】本実施例の記録可能時間の表示例を示す図
【図１２】本実施例の動画撮影時のデータフローを示す図
【図１３】本発明における実施例１の動作クロック設定方法を示す図
【図１４】本発明における実施例２の動作クロック設定方法を示す図
【図１５】本発明における実施例３の動作クロック設定方法を示す図
【図１６】本発明における実施例４の動作クロック設定方法を示す図
【図１７】本発明における実施例５の動作クロック設定方法を示す図
【図１８】本発明における実施例６の動作クロック設定方法を示す図
【符号の説明】
【０２５７】
１  動作クロック生成部
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２７  外部出力コネクタ
２８  画像表示部
３０  メモリ
３２  圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
５８  タイマ
６０  モードダイアル
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御手段
８２  コネクタ
８４  コネクタ
８６  電源
９０、９４  インターフェース
９２、９６  コネクタ
９８  記録媒体着脱検知手段
１００  画像処理装置
１０２  保護手段（バリア）
１０４  光学ファインダー
１０６  画像表示部開閉検知手段
１０８  外部出力コネクタ接続検知手段
１１０  通信手段
１１２  コネクタ（アンテナ）
２００、２１０  記録媒体
２０２、２１２  記録部
２０４、２１４  インターフェース
２０６、２１６  コネクタ
【図１】
2005175774.tif 000003
【図２】
2005175774.tif 000004
【図３】
2005175774.tif 000005
【図４】
2005175774.tif 000006
【図５】
2005175774.tif 000007
【図６】
2005175774.tif 000008
【図７】
2005175774.tif 000009
【図８】
2005175774.tif 000010
【図９】
2005175774.tif 000011
【図１０】
2005175774.tif 000012
【図１１】
2005175774.tif 000013
【図１２】
2005175774.tif 000014
【図１３】
2005175774.tif 000015
【図１４】
2005175774.tif 000016
【図１５】
2005175774.tif 000017
【図１６】
2005175774.tif 000018
【図１７】
2005175774.tif 000019
【図１８】
2005175774.tif 000020